(57)【要約】  【課題】  ボトルに容れられた水および流動性を有する餌料を動物に与えるために小出しにすることが可能な携帯用給餌・給水器を提供する。  【解決手段】  給餌・給水器１０は、桶状部１、キャップ部３、およびオリフィス９を有する水・飼料移送部８を備えている。携行時には、キャップ部３が第１の雌ねじ溝４を介してボトル６に取り付けられて、桶状部１がボトル６に被さる態様でボトル６の開口部に蓋をする。動物に水または餌を与えるときには、水・飼料移送部８が第２の雌ねじ溝１１を介してボトル６に取り付けられて、ボトル６の中身がオリフィス９を通じて桶状部１に移送される。【選択図】        図４
2009159879.tif 000002
【特許請求の範囲】
【請求項１】
動物に与えるために移送可能な水または流動性を有する飼料を溜める空間を画成する１個の開放桶構造部、および
１個の開口部を有しかつ前記水または飼料を内部に収容可能なタンクに対し取外し可能に取付け可能な１個のキャップ部であって、前記タンクに取り付けられたときに、前記開口部を通じた前記水または飼料の流動を少なくとも部分的に封止し、かつ前記タンクに対する前記開放桶構造部の携行用取付け状態を維持するキャップ部、
を備えた給餌・給水器。
【請求項２】
前記キャップ部が、前記開放桶構造部と一体であることを特徴とする請求項１記載の給餌・給水器。
【請求項３】
前記開放桶構造部は、前記携行用取付け状態のときに、前記タンクの開口部の近傍において該タンクの一部に少なくとも部分的に被さることを特徴とする請求項１記載の給餌・給水器。
【請求項４】
前記キャップ部は、前記タンクの前記開口部に形成されたねじ溝に螺合可能なねじ溝を備えていることを特徴とする請求項１記載の給餌・給水器。
【請求項５】
前記溜める空間は、前記携行用取付け状態のときに、前記タンクの垂直方向の広がりの少なくとも一部分にほぼ対向していることを特徴とする請求項１記載の給餌・給水器。
【請求項６】
前記開放桶構造部に設けられた１個の水・餌料移送部を備え、該移送部は、前記タンクと前記開放桶構造部との相対位置関係が前記携行用取付け状態にあるときとは異なる別の相対位置関係にある給餌・給水状態に前記給餌・給水器を維持するように、前記タンクと係合可能であり、該タンクの前記開口部は、前記給餌・給水状態にあるときに、前記開放桶構造部の前記溜める空間と連通することを特徴とする請求項１記載の給餌・給水器。
【請求項７】
前記水・餌料移送部は、前記給餌・給水状態にあるときに前記タンクからの前記水または飼料のコントロールされた小出しを可能にするノズル構造を備えていることを特徴とする請求項６記載の給餌・給水器。
【請求項８】
前記開放桶構造部を画成する上部壁の縁は、前記タンクの長手方向軸線に対して偏向した輪郭を提供し、これにより、前記給餌・給水器が、前記携行用取付け状態のときに、前記タンクの片側において他側よりも前記タンクの長手方向の広がりに余計に被さることを特徴とする請求項１記載の給餌・給水器。
【請求項９】
前記開放桶構造部の長手方向の軸線は、前記給餌・給水状態にあるときに、前記タンクの長手方向の軸線に対して１８０°未満の鈍角をなすように配置されることを特徴とする請求項６記載の給餌・給水器。
【請求項１０】
１個の開口部を有すタンク、
前記タンク内に容れられた水または流動性を有する飼料を動物に与えるために前記タンクの開口部から移送可能な溜める空間を画成する１個の開放桶構造部、および
前記タンクに対し取外し可能に取付け可能なキャップ部であって、前記タンクに取り付けられたときに、前記開口部を通じた前記水または飼料の流動を少なくとも部分的に封止し、かつ前記タンクに対する前記開放桶構造部の携行用取付け状態を維持するキャップ部、
を備えた給餌・給水器。
【請求項１１】
前記開放桶構造部は、前記携行用取付け状態にあるときに前記タンクの長手方向部分が前記開放桶構造部の外方へ延出するように、前記タンクの長手方向の広がりの一部分のみに被さるような寸法を有し、これにより、前記取付け状態において如何なる長さを有するタンクにも適応可能であることを特徴とする請求項１０記載の給餌・給水器。
【請求項１２】
１個のタンク内に容れられた水または流動性を有する飼料が動物に与えられるために内部に移送されることが可能な溜める空間を画成する１個の開放桶構造部を提供し
前記タンクに対し１個のキャップ部を、前記開放桶構造部が前記タンクに付随的に保持される第１の方向に取付けることによって、前記タンクの１個の開口部を少なくとも部分的に封止し、
前記タンクの開口部がもはや封止されないように、前記開放桶構造部の方向を前記第１の方向から再方向づけし、
前記開口部を通じて前記開放桶構造部の溜める空間内に前記タンクの内容物を移送する各工程を有してなる動物の給餌・給水方法。
【請求項１３】
前記再方向づけは、前記開放桶構造部に対し前記タンクを第２の方向に取外し可能に取り付けることを含み、前記タンクの開口部は、前記第２の方向にあるときに、前記開放桶構造部の溜める空間と連通され、さらにこの方法は、前記第２の方向にあるときに、前記溜める空間内に前記タンクの内容物を移送することを含むことを特徴とする請求項１２記載の方法。
【請求項１４】
前記キャップ部が、前記開放桶構造部と一体であることを特徴とする請求項１２記載の方法。
【請求項１５】
前記溜める空間内に前記タンクの内容物を移送する工程が、該内容物の流動を制限する工程を含むことを特徴とする請求項１３記載の方法。
【請求項１６】
前記タンクを取外し可能に取り付ける工程が、前記第２の方向にあるときに、前記開放桶構造部の長手方向の軸線を、前記タンクの長手方向の軸線に対して１８０°未満の鈍角をなすように配置する工程を含むことを特徴とする請求項１３記載の方法。
【請求項１７】
前記キャップ部が、前記開放桶構造部と一体であることを特徴とする請求項１３記載の方法。
【請求項１８】
前記キャップ部に設けられているねじ溝を、市販の飲料ボトルの現存するねじ溝に合致させる工程をさらに含むことを特徴とする請求項１７記載の方法。
【請求項１９】
前記第１の方向状態にあるときに前記市販のボトルの長手方向部分が前記開放桶構造部の外方へ延出するように、前記開放桶構造部を、前記ボトルの長手方向の広がりの一部分のみに被さるような寸法に形成し、これにより、前記第１の方向において如何なる長さを有するボトルにも適応可能にすることを特徴とする請求項１８記載の方法。
【発明の詳細な説明】
【技術分野】
【０００１】
本発明は、水および餌料を選択的に小出しにして動物に与えるための携帯用給餌・給水器に関し、特に、水、飲料、顆粒状固体およびその他の流動性を有する餌料を、手に持ちながらタンクから溜める空間に小出しにするのに有用な給餌・給水器に関するものである。
【背景技術】
【０００２】
例えば家から離れるときに、犬または他のペットに水を遣る手段を提供するための種々様々の携帯用の水の小出し容器が現在市販されている。しかしながら、給水用の水を容れたボトルに取り付けられた状態で持ち運び可能で、水または他の流動性を有する餌料をボトルから移送して溜めて動物に与えることができ、しかも現存する多くの形式のボトルに取り付けて用いるのに適した容器として機能する、簡単で効果的な製品に対するニーズが依然として存在している。
【０００３】
それ故に、そこから動物が水を飲みまたは流動性を有する固形の餌料を食べることができ、かつ広い範囲の形状およびサイズを有するタンク（例えば、炭酸水または水を容れるのに用いられるありきたりのボトルを含む様々な形状およびサイズのボトル）に取り付けて用いるのに適した給餌・給水器の提供が要望されている。
【発明の開示】
【発明が解決しようとする課題】
【０００４】
しがって、本発明の目的は、水、飲料、顆粒状固形物およびその他の流動性を有する餌料を動物に与えるために小出しにすることが可能な、従来技術の欠点を克服した給餌・給水器を提供することにある。
【０００５】
本発明のさらなる目的は、携帯用で、かつ広い範囲の形状およびサイズを有するボトルに付けて用いるのに適した給餌・給水器を提供することにある。
【０００６】
本発明のさらなる目的は、簡単、小型、使用が容易で、かつ経済的に製造することができる形態の給餌・給水器を提供することにある。
【課題を解決するための手段】
【０００７】
本発明のこれらのおよびその他の目的により、例えばボトルの形で便利に提供される１個のタンクに取り付けて用いられたときに、犬またはその他の動物に与えるための水または流動可能な餌料のための携帯が容易な小出し容器として機能する給餌・給水器が提供される。
【０００８】
その小出し部が一体構造であることが有利であるこの給餌・給水器は、ボトルまたはその他のタンクの内容物が選択的に移送される溜める空間を画成する１個の開放桶構造部を備えている。この給餌・給水器がボトルに取り付けられたときに、この給餌・給水器は、ボトルの開口部またはその近傍に少なくとも部分的に被さるように、ボトルに対する取付け可能に係合し得る手段を備えている特徴を有する。このため、この給餌・給水器は、ボトルに形成されている対応するねじ溝に螺合するのに適した雌ねじ溝を有してボトルに螺合されたときにボトルの開口部を効率的に封止するキャップ部を備えている。このキャップ部は、ボトルに取り付けられたときに給餌・給水器の開放桶構造部（凹部）がボトルに対向する方向となるような位置に設けられており、これによって、給餌・給水器とボトルとが少なくとも部分的に入れ子状態になることによって、携行／収納のためのよりコンパクトな外形が得られる。この給餌・給水器は、ボトル開口部から離れたボトルの部分が給餌・給水器から外方へ延出するように、ボトル開口部近傍のボトルの長手方向の広がりの部分のみに被さる寸法を有するのが有利である。この給餌・給水器は、タンクに取り付けられたときに、開放桶構造部を画成する上壁部の縁が、ボトルの長手方向軸線に対して偏向した輪郭を有するように構成され、これによって、この給餌・給水器が、タンクの片側において他側よりもタンクの長手方向の広がりに余計に被さることがさらに有利である。
【０００９】
有利な実施の形態によれば、この給餌・給水器は、この給餌・給水器が携行／収納のために取り付けられかつ封止される上述の第１の位置とは異なる第２の相対位置においてボトルに係合するのに適した水・餌料移送部をさらに備えている。この第２の位置に取り付けられたときには、給餌・給水器の開放桶構造部内にボトルの開口部が向けられ、動物に餌料または水を与えるために、取り付けられた状態のままボトルを適当に傾けたり、押し潰したりすることによって、ボトルの内容物の少なくとも一部が上記溜める空間に移送される。
【００１０】
特に有利な実施の形態においては、上記水・餌料移送部が、ねじ溝を備えたキャップ部とは反対側に形成された、ボトルのねじ溝に合致する第２の雌ねじ溝部によって囲まれた領域内に設けられた流量制限オリフィスを備えた単純な形態に形成され、ボトルが上記第２の雌ねじ溝部に螺合されたときには、例えばボトルを押し潰すことによって、ボトルの内容物が上記ノズル内の流量制限オリフィスを通じて、上記給餌・給水器の上記第２の雌ねじ溝部側とは反対側に配置された溜める空間内にコントロールされた態様で直接選択的に移送されることが可能である。
【００１１】
本発明の上述の、およびその他の目的、特徴ならびに利点は、添付図面を参照した下記の説明から明らかになるであろう。
【発明を実施するための最良の形態】
【００１２】
図面を参照すると、給餌・給水器が全体として符号１０で示されている。本実施の形態の給餌・給水器１０は、最も広い意味で考えたとき、必ずしも本発明により実施される給餌・給水器のすべての種類を組み入れる必要のない多くの随意的な特徴を備えていることを理解すべきである。それ故に、図１〜図４に示された下記の実施の形態の説明に関連して、有利である、便利である、好ましいまたは随意的に備えているとして（あるいはその効果に対して別の言葉で）特徴が示されたときに、このような特徴は、望ましいものではあるがが本発明の実施には必ずしも必要としないことを理解すべきである。
【００１３】
図１〜図４に示された好ましい実施の形態において、給餌・給水器１０は、動物に与えられる流動性を有する物質（例えば水２）がボトル６の形式のものが便利であるタンク（図４参照）から移送される溜める空間を画成する開放桶構造部１を提供する１個の構造体を備えている。給餌・給水器１０は、この給餌・給水器１０をボトル６に取外し可能に取り付けることが可能な構造を備えている。図示の実施の形態においては、ボトル６に設けられた対応するねじ溝５に螺合される雌ねじ溝４を有するキャップ部３を備えていることが有利である。
【００１４】
図示のように、ボトル６に取り付けられたときに給餌・給水機能を備える給餌・給水器１０は、製造の容易性および誰でも扱えるような信頼性のために、一体構造であることが有利である。この給餌・給水器１０は、ボトル６に取り付けられたときに、ボトル６の開口部６ａおよびその近傍においてボトル６の一部を少なくとも部分的に覆っている。ボトル６に螺合されたときには、キャップ部３はボトルの開口部６ａを効果的に封止する。図示のように、給餌・給水器１０がボトル６に取り付けられたときに開放桶構造部（凹部）１の内面がボトル６側を向いて、給餌・給水器１０およびボトル６が少なくとも部分的に入れ子状態になることによって、携行／収納時の最高にコンパクトな包絡線が得られるような位置にキャップ部３が配置されていることが有利である。給餌・給水器１０は、ボトル６の開口部６ａから離れた部分が給餌・給水器１０の外方へ（すなわち、ボトル６が直立しているときには下方へ）延出するように、ボトル開口部６ａの近傍のボトル６の長手方向の一部分のみに被さるような寸法を有するのが有利である。
【００１５】
随意的にこの給餌・給水器１０が、携行／収納のためにボトル６がキャップ部３を介して給餌・給水器１０に取り付けられて封止される上述の第１の位置とは別の第２の位置においてボトル６を給餌・給水器１０に取り付けるのに適した水・飼料移送部８を備えているのが有利であり、ボトル６がこの第２の位置（図４に移送状態を示す）に取り付けられると、ボトル６の開口部６ａが給餌・給水器１０の開放桶構造部１の内部に向けられて、ボトル６を適当に傾け、押し潰すこと等によって、ボトル６の内容物の少なくとも一部を溜める空間内に移送して動物に与えることが可能になる完全に一体となった給餌・給水装置をボトル６と給餌・給水器１０とが形成する。図示された好ましい実施の形態においては、上記水・飼料移送部８が、雌ねじ溝４を備えたキャップ部３とは反対の方向を向いて配置された、ボトル６のねじ溝５に螺合される第２の雌ねじ溝部１１によって囲まれた領域内に流量制限オリフィス９を備えた形態のノズル構造を備えている。この第２の雌ねじ溝部１１にボトル６が螺合された場合に、例えばボトル６を押し潰すことによって、ボトル６の内容物がコントロールされた態様で、ノズル部の流量制限オリフィス９を通って給餌・給水器１０の第２の雌ねじ溝部１１側とは反対側に位置する溜める空間内に直接的に移送されることが可能である。オリフィス９がチューブ１２を備えていると、長くなったオリフィスの軸線方向の距離が、単に壁に孔を開けるのみによる壁の厚さ分だけの毛細管抵抗よりも大きい毛細管抵抗を発生させるので、コントロールされていない流れを制限するので有利である。
【００１６】
特に給餌・給水のために上記第２の位置に嵌め替えることに関連して、給餌・給水器１０が、図３の閉鎖状態にタンク（ボトル６）に取り付けられた場合に、開放桶構造体を画成する上方壁の縁７がボトルの長手方向軸線Ｌに対して偏向した輪郭を備えることが有利であり、これによって、給餌・給水器１０は、ボトル６の片側に他方側よりも長い長手方向の広がりに亘って被さる。このような構造によって、図４に示された給餌・給水位置（すなわち第２の取付け位置）に再方向づけされた場合に、溜められた水が失われないように縁部７をほぼ水平の方向に保ちながら、動物に対する好適な給餌・給水角度（すなわち、１８０°未満の鈍角）をボトル６の軸線Ｌと給餌・給水器１０との間で保つことができる。開放桶構造体１内の溜める空間は、給餌・給水器１０が例えば十分に湾曲していること（図４のように）、あるいは、例えばこの給餌・給水器を平らな箱型に形成するような他の手段等によって、所望の量の水（または他の餌）を給餌・給水器１０の縁からこぼすことなく収容するように構成されることが注目される。
【００１７】
図３を参照すると、ボトル６は給餌・給水器１０から延出しており（図示のようにボトル６が直立している場合には下方へ）、かつボトル６を反螺合方向へ回すことによって簡単に給餌・給水器１０から外すことができるので、給餌・給水器１０に対してボトル６を図３の閉鎖位置（携行状態）に螺合させるときに縁７の何れの部分にも触れないようにボトル６の最大許容直径が制限されはするが、給餌・給水器１０には、如何なる形状、サイズおよび長さのボトルとも組み合わせることができる（図３には最大許容直径のボトル６が示されている）。それ故に、給餌・給水器１０を単独で販売できる可能性、ならびに給餌・給水器１０が取り付けられる最大サイズまでのサイズ範囲の市販の水入りボトル、またはリサイクルされた炭酸水および飲料のボトルとともに用いることが可能な給餌・給水器１０のねじ溝のサイズが商業的に検討される。
【００１８】
給餌・給水器１０付きボトル６に水が入っているときの持運びを容易にするために、孔１３に通された吊り紐またはストラップ１４が随意的に取り付けられる。あるいは、吊り紐またはストラップ１４と同様の吊り機能を備えた、例えばベルトまたはトグル・クリップ等（不図示）のような他の適当な手段のために、別の位置に別の孔を設けることができることは言うまでもない。
【００１９】
上述のように、本実施の形態は好ましい実例を提供するものであるが、本発明の範囲内においては、より単純な実施の形態が検討される。例えば図５は、上述の実施の形態のように一体に形成されている代わりに、給餌・給水器から分離したキャップ部として設けられたキャップ部２３によってボトル６′に保持された給餌・給水器２０を示す。本実施の形態においては、給餌・給水器２０は溜める空間２１を備えた開放桶形態を有し、かつ図５の収納状態にあるときにボトル６′の首が貫通する孔２０ａを適所に備えている。キャップ部２３はボトル６′に螺合し、かつ給餌・給水器２０がボトル６′から離れるのを防止している。使用のためにキャップ２３を外すと、給餌・給水器２０をボトル６′から離すことができる。ユーザは単純に給餌・給水器２０を掌に乗せ、ペットに飲ませるためにボトル６′からそれに水を注げばよい。
【００２０】
図示はされていないが、随意的にハンドルを給餌・給水器２０に形成することができ、ペットに飲ませるときにはそのハンドルによって給餌・給水器２０が保持される。使用後は、給餌・給水器２０がボトル６′に戻され、かつキャップ部２３がボトル６′に螺合されて、給餌・給水器２０を収納／携行のためにボトル６′に固定する。
【００２１】
以上、図面を参照して本発明の実施の形態について説明したが、本発明は上述の実施の形態に限定されるものではなく、本発明の範囲または精神から離れることなしに当業者による種々の変形および変更が可能であることを理解すべきである。
【図面の簡単な説明】
【００２２】
【図１】使用時における本発明の一実施の形態による給餌・給水器を上方から視た斜視図
【図２】図１に示された実施の形態による給餌・給水器を、この給餌・給水器によって形成された開放桶の前端側から見た斜視図
【図３】携行／収納用に対応する第１の位置において直立したボトルに装着された図１および図２の実施の形態を示す一部を断面とした側面図
【図４】給餌・給水用に対応する第２の位置においてボトルに装着された図１〜図３の実施の形態を示す一部を断面とした側面図
【図５】本発明による単純化された実施の形態を示す一部を断面とした側面図
【符号の説明】
【００２３】
１    開放桶構造部
２    水
３，２３    キャップ部
４    雌ねじ溝
５    ねじ溝
６，６′    ボトル（タンク）
８    水・飼料移送部
９    流量制限オリフィス
１０，２０    給餌・給水器
１１    第２の雌ねじ溝
１２    チューブ
１３    孔
１４    ストラップ
【図１】
2009159879.tif 000003
【図２】
2009159879.tif 000004
【図３】
2009159879.tif 000005
【図４】
2009159879.tif 000006
【図５】
2009159879.tif 000007
【外国語明細書】
2009159879000001.pdf